【手続補正書】
【提出日】令和2年1月30日(2020.1.30)
【手続補正１】
【補正対象書類名】明細書
【補正対象項目名】発明の名称
【補正方法】変更
【補正の内容】
【発明の名称】衣服
【手続補正２】
【補正対象書類名】明細書
【補正対象項目名】０００１
【補正方法】変更
【補正の内容】
【０００１】
本発明は、衣服に関するものである。
【手続補正３】
【補正対象書類名】明細書
【補正対象項目名】０００６
【補正方法】変更
【補正の内容】
【０００６】
本発明の課題は、内部を陽圧としつつ、衣服本体の膨張を適切に規制することができる衣服を提供することにある。
【手続補正４】
【補正対象書類名】明細書
【補正対象項目名】０００７
【補正方法】変更
【補正の内容】
【０００７】
上記課題を解決するため、請求項１に記載の発明は、衣服において、
衣服本体と、
前記衣服本体の内部に空気を導入するための空気導入部と、
前記衣服本体の膨張を規制するための１又は複数の膨張規制手段と、を備え、
前記空気導入部から空気を導入して内部を陽圧にすることで、前記衣服本体を膨らませるとともに、前記膨張規制手段によって、当該膨張規制手段が備えられた部位の前記衣服本体の膨張を規制することを特徴とする。
【手続補正５】
【補正対象書類名】明細書
【補正対象項目名】０００８
【補正方法】変更
【補正の内容】
【０００８】
請求項２に記載の発明は、請求項１に記載の衣服において、
前記膨張規制手段は、当該膨張規制手段が備えられた部位の前記衣服本体の胴周を規制することを特徴とする。
請求項３に記載の発明は、請求項１又は２に記載の衣服において、
前記空気導入部は、前記衣服本体と着用者の身体との間の空間に接続され、
前記衣服本体には、前記衣服本体と着用者の身体との間の空間に接続される空気排出部が備えられ、
前記空気導入部から前記空気排出部へと空気を流通させることで、空調衣服としての機能を有することを特徴とする。
【手続補正６】
【補正対象書類名】明細書
【補正対象項目名】０００９
【補正方法】変更
【補正の内容】
【０００９】
請求項４に記載の発明は、請求項１又は２に記載の衣服において、
前記空気導入部は、前記衣服本体と着用者の身体との間の空間に接続され、
前記衣服本体の裾部と、襟部と、袖部と、には、空気漏れ防止手段が備えられていることを特徴とする。
【手続補正７】
【補正対象書類名】明細書
【補正対象項目名】００１０
【補正方法】変更
【補正の内容】
【００１０】
請求項５に記載の発明は、請求項１又は２に記載の衣服において、
前記衣服本体は、表地と、裏地と、を端部付近で接合することで袋状に形成され、
前記空気導入部は、前記表地と前記裏地との間の空間に接続されることを特徴とする。
【手続補正８】
【補正対象書類名】明細書
【補正対象項目名】００１１
【補正方法】変更
【補正の内容】
【００１１】
請求項６に記載の発明は、請求項１又は２に記載の衣服において、
前記衣服本体は、表地と、裏地と、前記表地と前記裏地との間に備えられた袋体と、を備え、
前記空気導入部は、前記袋体内部に接続されることを特徴とする。
【手続補正９】
【補正対象書類名】明細書
【補正対象項目名】００１２
【補正方法】変更
【補正の内容】
【００１２】
請求項７に記載の発明は、請求項１から６のいずれか一項に記載の衣服において、
前記膨張規制手段は、前記衣服本体の胴周囲に沿って配置される紐と、前記紐を前記衣服本体に保持する紐保持手段と、当該紐の胴周囲の長さを調整する調整手段と、を備えることを特徴とする。
【手続補正１０】
【補正対象書類名】明細書
【補正対象項目名】００１３
【補正方法】変更
【補正の内容】
【００１３】
請求項８に記載の発明は、請求項１から６のいずれか一項に記載の衣服において、
前記膨張規制手段は、前記衣服本体の表面の胴周囲に沿って配置される紐と、前記紐を前記衣服本体の表面に保持する紐保持手段と、当該紐の胴周囲の長さを調整する調整手段と、を備えることを特徴とする。
【手続補正１１】
【補正対象書類名】明細書
【補正対象項目名】００１４
【補正方法】変更
【補正の内容】
【００１４】
請求項９に記載の発明は、請求項３又は４に記載の衣服において、
前記膨張規制手段は、前記衣服本体の裏面の胴周囲に沿って配置される紐と、前記紐を前記衣服本体の裏面に保持する紐保持手段と、当該紐の胴周囲の長さを調整する調整手段と、を備えることを特徴とする。
【手続補正１２】
【補正対象書類名】明細書
【補正対象項目名】００１５
【補正方法】変更
【補正の内容】
【００１５】
請求項１０に記載の発明は、請求項９に記載の衣服において、
前記紐保持手段は、前記衣服本体の所定の位置を除いて備えられ、前記衣服本体を、前記所定の位置において、前記紐保持手段が備えられた位置と比較して大きく膨らませることができるよう構成されていることを特徴とする。
【手続補正１３】
【補正対象書類名】明細書
【補正対象項目名】００１６
【補正方法】変更
【補正の内容】
【００１６】
請求項１１に記載の発明は、請求項１０に記載の衣服において、
前記所定の位置は、胸部付近であることを特徴とする。
【手続補正１４】
【補正対象書類名】明細書
【補正対象項目名】００１７
【補正方法】変更
【補正の内容】
【００１７】
本発明によれば、内部を陽圧としつつ、衣服本体の膨張を適切に規制することができる衣服を提供することができる。
【手続補正１５】
【補正対象書類名】明細書
【補正対象項目名】００６７
【補正方法】変更
【補正の内容】
【００６７】
１００、１００Ａ、１００Ｂ、１００Ｃ  陽圧式胴周規制服（衣服）
１、１Ａ、１Ｂ、１Ｃ  衣服本体
１３  裾部空気漏れ防止手段
１４  空気排出部
１５  袖部空気漏れ防止手段
１６  襟部空気漏れ防止手段
１７  表地
１８  裏地
１９  袋体
２  空気導入部
３  胴周規制手段（膨張規制手段）
３１  紐保持手段
３２  胴周規制紐（紐）
３３  調整手段
【手続補正１６】
【補正対象書類名】特許請求の範囲
【補正対象項目名】全文
【補正方法】変更
【補正の内容】
【特許請求の範囲】
【請求項１】
衣服本体と、
前記衣服本体の内部に空気を導入するための空気導入部と、
前記衣服本体の膨張を規制するための１又は複数の膨張規制手段と、を備え、
前記空気導入部から空気を導入して内部を陽圧にすることで、前記衣服本体を膨らませるとともに、前記膨張規制手段によって、当該膨張規制手段が備えられた部位の前記衣服本体の膨張を規制することを特徴とする衣服。
【請求項２】
前記膨張規制手段は、当該膨張規制手段が備えられた部位の前記衣服本体の胴周を規制することを特徴とする請求項１に記載の衣服。
【請求項３】
前記空気導入部は、前記衣服本体と着用者の身体との間の空間に接続され、
前記衣服本体には、前記衣服本体と着用者の身体との間の空間に接続される空気排出部が備えられ、
前記空気導入部から前記空気排出部へと空気を流通させることで、空調衣服としての機能を有することを特徴とする請求項１又は２に記載の衣服。
【請求項４】
前記空気導入部は、前記衣服本体と着用者の身体との間の空間に接続され、
前記衣服本体の裾部と、襟部と、袖部と、には、空気漏れ防止手段が備えられていることを特徴とする請求項１又は２に記載の衣服。
【請求項５】
前記衣服本体は、表地と、裏地と、を端部付近で接合することで袋状に形成され、
前記空気導入部は、前記表地と前記裏地との間の空間に接続されることを特徴とする請求項１又は２に記載の衣服。
【請求項６】
前記衣服本体は、表地と、裏地と、前記表地と前記裏地との間に備えられた袋体と、を備え、
前記空気導入部は、前記袋体内部に接続されることを特徴とする請求項１又は２に記載の衣服。
【請求項７】
前記膨張規制手段は、前記衣服本体の胴周囲に沿って配置される紐と、前記紐を前記衣服本体に保持する紐保持手段と、当該紐の胴周囲の長さを調整する調整手段と、を備えることを特徴とする請求項１から６のいずれか一項に記載の衣服。
【請求項８】
前記膨張規制手段は、前記衣服本体の表面の胴周囲に沿って配置される紐と、前記紐を前記衣服本体の表面に保持する紐保持手段と、当該紐の胴周囲の長さを調整する調整手段と、を備えることを特徴とする請求項１から６のいずれか一項に記載の衣服。
【請求項９】
前記膨張規制手段は、前記衣服本体の裏面の胴周囲に沿って配置される紐と、前記紐を前記衣服本体の裏面に保持する紐保持手段と、当該紐の胴周囲の長さを調整する調整手段と、を備えることを特徴とする請求項３又は４に記載の衣服。
【請求項１０】
前記紐保持手段は、前記衣服本体の所定の位置を除いて備えられ、前記衣服本体を、前記所定の位置において、前記紐保持手段が備えられた位置と比較して大きく膨らませることができるよう構成されていることを特徴とする請求項９に記載の衣服。
【請求項１１】
前記所定の位置は、胸部付近であることを特徴とする請求項１０に記載の衣服。